(57)【要約】【課題】使用される地域ごとのユーザのニーズに応じた原稿のカラー判定を行うことができる画像読取装置および画像処理方法を提供する。【解決手段】ＡＣＳ処理部８は、画像読取部２で読み取った原稿の画像データにおける各画素の彩度および色相角を算出し、算出した彩度および色相角と、画像読取装置の販売先の地域である仕向け先に応じて色相ごとに設定した彩度に関する閾値とを用いて、各画素が色味を有するカラー画素であるか否かを判定する。【選択図】図１
2011082796.tif 000002
【特許請求の範囲】
【請求項１】
原稿の画像を読み取る画像読取部と、
前記画像読取部で読み取った原稿の画像データにおける各画素の彩度を算出する彩度算出部と、
前記画像データにおける各画素の色相角を算出する色相角算出部と、
本画像読取装置の仕向け先情報を取得する仕向け先情報取得部と、
前記仕向け先情報取得部で取得した仕向け先情報に応じて色相ごとに第１の彩度閾値を設定する閾値設定部と、
前記彩度算出部で算出された彩度と、前記色相角算出部で算出された色相角と、前記閾値設定部で設定された前記第１の彩度閾値とを用いて、各画素が色味を有するカラー画素であるか否かを判定する画素判定部と、
１ページ内において前記画素判定部でカラー画素と判定された画素数が所定画素数以上である場合に、当該ページをカラー原稿と判定する原稿判定部と
を備えることを特徴とする画像読取装置。
【請求項２】
ユーザに各種情報を表示する表示パネルを有し、ユーザの操作を受け付ける操作入力部をさらに備え、
前記仕向け先情報取得部は、前記表示パネルにおける表示言語に応じて仕向け先情報を取得することを特徴とする請求項１に記載の画像読取装置。
【請求項３】
前記閾値設定部は、前記第１の彩度閾値よりも小さい第２の彩度閾値をさらに設定し、
前記画素判定部は、彩度が前記第１の彩度閾値よりも大きい画素と、彩度が前記第１の彩度閾値以下で前記第２の彩度閾値よりも大きくかつ輝度が所定値より小さい画素とを仮カラー画素と判定し、仮カラー画素のうち、当該仮カラー画素に隣接する所定数の画素がすべて仮カラー画素であると判定されたものを、真にカラー画素であると判定することを特徴とする請求項１または２に記載の画像読取装置。
【請求項４】
原稿の画像を読み取り、読み取った原稿の画像データにおける各画素の彩度を算出する彩度算出ステップと、
前記画像データにおける各画素の色相角を算出する色相角算出ステップと、
前記彩度算出ステップで算出された彩度と、前記色相角算出ステップで算出された色相角と、画像読取装置の販売先の地域である仕向け先に応じて色相ごとに設定された彩度に関する閾値である第１の彩度閾値とを用いて、各画素が色味を有するカラー画素であるか否かを判定する画素判定ステップと、
１ページ内においてカラー画素と判定された画素数が所定画素数以上である場合に、当該ページをカラー原稿と判定する原稿判定ステップと
を含むことを特徴とする画像処理方法。
【請求項５】
前記画素判定ステップは、彩度が前記第１の彩度閾値よりも大きい画素と、彩度が前記第１の彩度閾値以下で、前記第１の彩度閾値よりも小さい第２の彩度閾値よりも大きくかつ輝度が所定値より小さい画素とを仮カラー画素と判定し、仮カラー画素のうち、当該仮カラー画素に隣接する所定数の画素がすべて仮カラー画素であると判定されたものを、真にカラー画素であると判定することを特徴とする請求項４に記載の画像処理方法。
【発明の詳細な説明】
【技術分野】
【０００１】
本発明は、自動原稿色判定（ＡＣＳ：Auto Color Select）機能を有する画像読取装置および画像処理方法に関する。
【背景技術】
【０００２】
複写機等の画像形成装置に備えられ、原稿の画像を光学的に読み取る画像読取装置には、読み取った原稿がカラー原稿であるか否かを自動で判定するＡＣＳ機能を有するものがある。
【０００３】
ＡＣＳ処理では、読み取った原稿の画像データにおける各画素の彩度が閾値より大きいか否かにより、各画素が色味を有するカラー画素であるか否かを判定している。
【０００４】
従来、一般的には、ＡＣＳ処理のカラー画素の判別に用いる彩度に関する閾値としては、すべての色相において同じ値が用いられていた。また、蛍光画素を判別するために、色相ごとに彩度に関する閾値を変える画像読取装置も提案されている（例えば、特許文献１参照）。
【先行技術文献】
【特許文献】
【０００５】
【特許文献１】特開２００４−３５７０１０号公報
【発明の概要】
【発明が解決しようとする課題】
【０００６】
ユーザの使用する環境によっては、ＡＣＳ処理において特定の色味をカラーと判定しやすくするようにしたいというニーズがある。
【０００７】
例えば、日本においては、赤い判子が検印として多く使用され、欧米では青いペンでの署名が一般的に行われる。このような検印や署名をカラーと判定したい場合、日本においては赤を、欧米においては青を、他の色よりもカラーと判定しやすくすることが望ましい。
【０００８】
しかしながら、従来の画像読取装置には、このような地域ごとのユーザのニーズに応える機能はなかった。そこで、装置が使用される地域ごとのユーザのニーズに応える技術が要望されていた。
【０００９】
本発明は上記に鑑みてなされたもので、使用される地域ごとのユーザのニーズに応じた原稿のカラー判定を行うことができる画像読取装置および画像処理方法を提供することを目的とする。
【課題を解決するための手段】
【００１０】
上記目的を達成するため、請求項１に係る画像読取装置は、原稿の画像を読み取る画像読取部と、前記画像読取部で読み取った原稿の画像データにおける各画素の彩度を算出する彩度算出部と、前記画像データにおける各画素の色相角を算出する色相角算出部と、本画像読取装置の仕向け先情報を取得する仕向け先情報取得部と、前記仕向け先情報取得部で取得した仕向け先情報に応じて色相ごとに第１の彩度閾値を設定する閾値設定部と、前記彩度算出部で算出された彩度と、前記色相角算出部で算出された色相角と、前記閾値設定部で設定された前記第１の彩度閾値とを用いて、各画素が色味を有するカラー画素であるか否かを判定する画素判定部と、１ページ内において前記画素判定部でカラー画素と判定された画素数が所定画素数以上である場合に、当該ページをカラー原稿と判定する原稿判定部とを備えることを特徴とする。
【００１１】
請求項２に係る画像読取装置は、請求項１に記載の画像読取装置において、ユーザに各種情報を表示する表示パネルを有し、ユーザの操作を受け付ける操作入力部をさらに備え、前記仕向け先情報取得部は、前記表示パネルにおける表示言語に応じて仕向け先情報を取得することを特徴とする。
【００１２】
請求項３に係る画像読取装置は、請求項１または２に記載の画像読取装置において、前記閾値設定部は、前記第１の彩度閾値よりも小さい第２の彩度閾値をさらに設定し、前記画素判定部は、彩度が前記第１の彩度閾値よりも大きい画素と、彩度が前記第１の彩度閾値以下で前記第２の彩度閾値よりも大きくかつ輝度が所定値より小さい画素とを仮カラー画素と判定し、仮カラー画素のうち、当該仮カラー画素に隣接する所定数の画素がすべて仮カラー画素であると判定されたものを、真にカラー画素であると判定することを特徴とする。
【００１３】
請求項４に係る画像処理方法は、原稿の画像を読み取り、読み取った原稿の画像データにおける各画素の彩度を算出する彩度算出ステップと、前記画像データにおける各画素の色相角を算出する色相角算出ステップと、前記彩度算出ステップで算出された彩度と、前記色相角算出ステップで算出された色相角と、画像読取装置の販売先の地域である仕向け先に応じて色相ごとに設定された彩度に関する閾値である第１の彩度閾値とを用いて、各画素が色味を有するカラー画素であるか否かを判定する画素判定ステップと、１ページ内においてカラー画素と判定された画素数が所定画素数以上である場合に、当該ページをカラー原稿と判定する原稿判定ステップとを含むことを特徴とする。
【００１４】
請求項５に係る画像処理方法は、請求項４に記載の画像処理方法において、前記画素判定ステップは、彩度が前記第１の彩度閾値よりも大きい画素と、彩度が前記第１の彩度閾値以下で、前記第１の彩度閾値よりも小さい第２の彩度閾値よりも大きくかつ輝度が所定値より小さい画素とを仮カラー画素と判定し、仮カラー画素のうち、当該仮カラー画素に隣接する所定数の画素がすべて仮カラー画素であると判定されたものを、真にカラー画素であると判定することを特徴とする。
【発明の効果】
【００１５】
本発明によれば、使用される地域ごとのユーザのニーズに応じた原稿のカラー判定を行うことができる画像読取装置および画像処理方法を提供することができる。
【図面の簡単な説明】
【００１６】
【図１】本発明の実施の形態に係る画像読取装置の構成を示すブロック図である。
【図２】図１に示す画像読取装置におけるＡＣＳ処理部の構成を示すブロック図である。
【図３】彩度閾値の一例を示す図である。
【図４】仕向け先と彩度閾値との関係の一例を示す図である。
【図５】彩度閾値の他の例を示す図である。
【図６】図１に示す画像読取装置の動作を示すフローチャートである。
【図７】図１に示す画像読取装置におけるＡＣＳ処理の手順を示すフローチャートである。
【発明を実施するための形態】
【００１７】
以下、本発明の実施の形態について、図面を参照して説明する。
【００１８】
図１は、本発明の実施の形態に係る画像読取装置の構成を示すブロック図である。本実施の形態に係る画像読取装置１は、用紙等の印刷媒体に画像を形成する画像形成部２０を備えた複写機等の画像形成装置に搭載され、原稿の画像を読み取り、読み取った原稿の画像データを処理した後、画像形成部２０に出力するものである。
【００１９】
図１に示すように画像読取装置１は、画像読取部２と、Ａ／Ｄ変換部３と、シェーディング補正部４と、像域分離処理部５と、変倍処理部６と、ＹＣｂＣｒ変換処理部７と、ＡＣＳ処理部８と、ＲＧＢ変換処理部９と、色変換処理部１０と、スクリーニング処理部１１と、制御部１２と、操作入力部１３とを備える。
【００２０】
画像読取部２は、複数のＣＣＤ（Charge Coupled Device）素子等の光電変換素子が主走査方向に配列されたラインセンサと、原稿に光を照射する光源を含む光学系とを有し、主走査方向に直交する副走査方向に光源を移動させながら、または原稿を副走査方向に搬送しながら、ラインセンサにより原稿の画像を光学的に読み取る。画像読取部２は、読み取った原稿の画像を、画素ごとのＲ（赤），Ｇ（緑），Ｂ（青）のアナログ信号として出力する。
【００２１】
Ａ／Ｄ変換部３は、画像読取部２から入力されるＲ，Ｇ，Ｂのアナログ信号をデジタルデータに変換し、Ｒ，Ｇ，Ｂの画像データを生成する。
【００２２】
シェーディング補正部４は、Ａ／Ｄ変換部３から入力される画像データに対し、画像読取部２の光電変換素子（画素）間の出力値のばらつきを正規化補正するシェーディング補正を行う。
【００２３】
像域分離処理部５は、シェーディング補正部４から入力される画像データにおける各画素を文字領域、網点領域、写真領域のいずれかに分離する処理を行う。変倍処理部６は、画像の拡大、縮小などの変倍処理を行う。
【００２４】
ＹＣｂＣｒ変換処理部７は、変倍処理部６から入力されるＲ，Ｇ，Ｂの画像データを、Ｙ，Ｃｂ，Ｃｒのデータに変換する。Ｙは輝度値、Ｃｂ，Ｃｒは色差値である。
【００２５】
ＡＣＳ処理部８は、ＹＣｂＣｒ変換処理部７から入力されるＹ，Ｃｂ，Ｃｒのデータに基づいて、各画素が色味を有するカラー画素であるか否かを判定する処理を行う。また、ＡＣＳ処理部８は、Ｙ，Ｃｂ，ＣｒのデータをＲＧＢ変換処理部９に出力する。
【００２６】
ＲＧＢ変換処理部９は、ＡＣＳ処理部８から入力されるＹ，Ｃｂ，ＣｒのデータをＲ，Ｇ，Ｂの画像データに変換する。
【００２７】
色変換処理部１０は、ＲＧＢ変換処理部９から入力されるＲ，Ｇ，Ｂの画像データを、Ｃ（シアン）、Ｍ（マゼンタ）、Ｙ（イエロー）、Ｋ（ブラック）の画像データに変換する。
【００２８】
スクリーニング処理部１１は、色変換処理部１０から入力されるＣ，Ｍ，Ｙ，Ｋの画像データに対してスクリーニング処理を施す。スクリーニング処理としては、誤差拡散処理や網点処理などが施される。スクリーニング処理後のＣ，Ｍ，Ｙ，Ｋの画像データは、画像形成部２０に出力される。
【００２９】
制御部１２は、ＣＰＵ（Central Processing Unit）、ＣＰＵの制御プログラム等を格納するメモリ（図示せず）等から構成され、ＣＰＵが制御プログラムに応じた処理を行うことによって、画像読取装置１全体の動作を制御するものである。また、制御部１２は、ＡＣＳ処理部８の判定結果に基づいて、画像読取部２で読み取った各ページがカラー原稿であるか否かを判定する原稿判定部としての機能を有する。
【００３０】
操作入力部１３は、ユーザに各種情報を表示する表示パネル１３１と、各種操作キー（図示せず）とを備え、ユーザによる操作を受け付ける。表示パネル１３１はタッチパネルを有し、ユーザは、タッチパネルの表面を指などで直接触れることで入力操作を行うことができる。なお、操作入力部１３は、画像読取装置１が搭載される画像形成装置全体に対するユーザの操作を受け付けるものとして機能する。
【００３１】
表示パネル１３１における表示言語は、画像読取装置１の販売先の地域（国など）である仕向け先に応じて予め設定される。なお、操作入力部１３をユーザが操作することにより、表示パネル１３１における表示言語を指定して設定できるようにしてもよい。設定された表示言語を示すパネル言語情報は、制御部１２のメモリ等に記憶される。
【００３２】
図２は、ＡＣＳ処理部８のカラー判定を行うための構成を示すブロック図である。図２に示すように、ＡＣＳ処理部８は、画像読取部２で読み取った原稿の画像データにおける各画素の彩度を算出する彩度算出部８１と、各画素の色相角を算出する色相角算出部８２と、画像読取装置１の仕向け先を示す仕向け先情報を取得する仕向け先情報取得部８３と、仕向け先情報取得部８３で取得した仕向け先情報に応じて色相ごとに後述の彩度閾値Ｓ１，Ｓ２を設定する閾値設定部８４と、各画素が色味を有するカラー画素であるか否かを判定する画素判定部８５とを備える。
【００３３】
彩度算出部８１は、Ｃｂ値，Ｃｒ値に基づいてＹＣｂＣｒ空間のＣｂＣｒ平面においてプロットした画素を示す点と、ＣｂＣｒ平面の原点との間の距離を、画素の彩度として算出する。図３に示すような、Ｃｂ値がＣｂ１、Ｃｒ値がＣｒ１である画素Ａの彩度Ｓは、以下の（数式１）で算出される。
【００３４】
Ｓ＝（Ｃｒ１２＋Ｃｂ１２）１／２      …（数式１）
色相角算出部８２は、ＣｂＣｒ平面における画素を示す点とＣｂＣｒ平面の原点とを結ぶ線と、Ｃｂ軸とのなす角を、画素の色相角として算出する。図３の画素Ａの色相角θは、以下の（数式２）で算出される。
【００３５】
θ＝ｔａｎ−１（Ｃｒ１／Ｃｂ１）    …（数式２）
画素判定部８５は、彩度算出部８１で算出された彩度Ｓ、色相角算出部８２で算出された色相角θ、閾値設定部８４により設定された彩度に関する閾値である彩度閾値Ｓ１（第１の彩度閾値）、Ｓ２（第２の彩度閾値）、および輝度に関する閾値Ｙ１を用いて、各画素がカラー画素であるか否かを判定し、判定結果を制御部１２に出力する。
【００３６】
本実施の形態では、画像読取装置１が使用される国や地域ごとのユーザのニーズに応えるために、仕向け先情報に応じて色相ごとに彩度閾値Ｓ１，Ｓ２を設定する。
【００３７】
仕向け先情報取得部８３は、制御部１２のメモリ等に記憶されたパネル言語情報が示す仕向け先を仕向け先情報として取得してこれを閾値設定部８４に供給する。閾値設定部８４は、仕向け先情報に応じた特定色相の画素をカラー画素と判定しやすくするために、特定色相の彩度閾値Ｓ１，Ｓ２を、他の色相の彩度閾値Ｓ１，Ｓ２よりも小さく設定している。
【００３８】
例えば、図４（ａ），（ｂ）に示すように、日本語、中国語（簡体）中国語（繁体）、およびハングル語を使用する仕向け先では、赤（Ｒ）を判定しやすくするために、Ｒの色相の彩度閾値Ｓ１を他の色相よりも小さくする。一方、英語、米語、ドイツ語等を使用する仕向け先では、青（Ｂ）を判定しやすくするために、Ｂの色相の彩度閾値Ｓ１を他の色相よりも小さくする。なお、図４（ｂ）では彩度閾値Ｓ１しか示していないが、彩度閾値Ｓ２は、彩度閾値Ｓ１よりも小さな値として、彩度閾値Ｓ１に応じて設定される。彩度閾値Ｓ１，Ｓ２は、実験的に決定される。
【００３９】
Ｒの色相を判定しやすくするための彩度閾値Ｓ１，Ｓ２をＣｂＣｒ平面上に示すと図３のようになる。また、Ｂの色相を判定しやすくするための彩度閾値Ｓ１，Ｓ２をＣｂＣｒ平面上に示すと図５のようになる。ＣｂＣｒ平面において各色相Ｒ，Ｇ，Ｂ，Ｃ，Ｍ，Ｙは色相角により分けられ、各色相Ｒ，Ｇ，Ｂ，Ｃ，Ｍ，Ｙの色相角範囲は、画像読取装置１において予め決められたものである。例えば、Ｒ：２０°〜７０°、Ｙ：７０°〜１１０°、Ｇ：１１０°〜１９０°、Ｃ：１９０°〜２４０°、Ｂ：２４０°〜３３０°、Ｍ：３３０°〜２０°である。画素判定部８５は、各色相の色相角範囲と、各色相の彩度閾値Ｓ１，Ｓ２とを対応させて記憶している。
【００４０】
次に、画像読取装置１の動作について説明する。
【００４１】
図６は、画像読取装置１の動作を示すフローチャートである。制御部１２は、画像読取部２による原稿の読み取りを開始させると、ステップＳ１０において、副走査方向におけるライン番号を示す変数ｌを１に設定し、ステップＳ２０において、主走査方向における画素番号を示す変数ｍを１に設定する。
【００４２】
ステップＳ３０において、制御部１２は、Ａ／Ｄ変換部３、シェーディング補正部４、像域分離処理部５、および変倍処理部６を制御して、処理対象の画素について、Ａ／Ｄ変換、シェーディング補正、像域分離処理、変倍処理をそれぞれ行わせる。
【００４３】
次いで、ステップＳ４０において、制御部１２は、処理対象の画素のＲ，Ｇ，ＢのデータをＹ，Ｃｂ，Ｃｒのデータに変換するようにＹＣｂＣｒ変換処理部７を制御する。
【００４４】
次いで、ステップＳ５０において、制御部１２は、ＡＣＳ処理部８にＡＣＳ処理を実行させる。ＡＣＳ処理部８におけるＡＣＳ処理の手順について、図７に示すフローチャートを参照して説明する。
【００４５】
図７のステップＳ２１０において、彩度算出部８１は、処理対象の画素の彩度Ｓを上述の（数式１）により算出する。ステップＳ２２０では、色相角算出部８２は、処理対象の画素の色相角θを上述の（数式２）により算出する。
【００４６】
次いで、ステップＳ２３０において、画素判定部８５は、ステップＳ２１０で算出した彩度Ｓが、ステップＳ２２０で算出した色相角θに対応する彩度閾値Ｓ１よりも大きいか否かを判断する。彩度Ｓが彩度閾値Ｓ１より大きい場合（ステップＳ２３０：ＹＥＳ）、ステップＳ２４０において、画素判定部８５は、処理対象の画素を仮カラー画素と決定する。その後、ステップＳ２７０に進む。
【００４７】
彩度Ｓが彩度閾値Ｓ１以下である場合（ステップＳ２３０：ＮＯ）、ステップＳ２５０において、画素判定部８５は、ステップＳ２１０で算出した彩度Ｓが、ステップＳ２２０で算出した色相角θに対応する彩度閾値Ｓ２よりも大きく、かつ処理対象の画素の輝度値Ｙが所定の閾値Ｙ１よりも小さいか否かを判断する。彩度Ｓが彩度閾値Ｓ２より大きくかつ輝度値Ｙが閾値Ｙ１より小さい場合、ステップＳ２４０に進み、彩度Ｓが彩度閾値Ｓ２以下、または輝度値Ｙが閾値Ｙ１以上である場合、ステップＳ２６０において、画素判定部８５は、処理対象の画素を白黒画素と判定する。
【００４８】
ステップＳ２５０の処理を行う理由について説明する。色味を持っているが色が濃い（輝度が低い）画素の場合、ＣｂＣｒ平面上において原点の近い方にプロットされる。このため、彩度閾値Ｓ１による判定だけでは、濃いカラーの画素が仮カラー画素と判定されないことがある。そこで、ステップＳ２５０により、輝度がある程度低い（輝度値Ｙが閾値Ｙ１より小さい）画素について、彩度閾値Ｓ１よりも小さい彩度閾値Ｓ２を用いてカラー判定することで、ある程度濃いカラーの画素も仮カラー画素として判定できるようにしている。なお、ステップＳ２５０の処理を省略して、彩度閾値Ｓ１のみにより仮カラー画素の判定を行ってもよい。
【００４９】
ステップＳ２７０では、画素判定部８５は、仮カラー画素と判定された処理対象の画素に隣接する所定数の画素（例えば上下左右２画素ずつ）がすべて仮カラー画素であるか否かを判断する。すべて仮カラー画素である場合（ステップＳ２７０：ＹＥＳ）、ステップＳ２８０に進み、仮カラー画素でない画素がある場合（ステップＳ２７０：ＮＯ）、ステップＳ２６０に進む。
【００５０】
ステップＳ２９０では、画素判定部８５は、処理対象の画素を真にカラー画素であると判定し、判定結果を制御部１２に出力する。そして、ステップＳ２９０において、制御部１２は、カラー画素数をカウントアップする。
【００５１】
以上がＡＣＳ処理の説明である。図６に戻り、ステップＳ６０において、制御部１２は、ＲＧＢ変換処理部９により処理対象の画素のＹ，Ｃｂ，ＣｒのデータをＲ，Ｇ，Ｂのデータに変換させ、ステップＳ７０において、制御部１２は、色変換処理部１０により処理対象の画素のＲ，Ｇ，ＢのデータをＣ，Ｍ，Ｙ，Ｋのデータに変換させる。
【００５２】
次いで、ステップＳ８０において、制御部１２は、色変換処理部１０から入力される処理対象の画素のＣ，Ｍ，Ｙ，Ｋのデータに対してスクリーニング処理を施すようにスクリーニング処理部１１を制御する。
【００５３】
次いで、ステップＳ９０において、制御部１２は、変数ｍが１ラインにおける最終画素であることを示すＭであるか否かを判断する。ｍ＝Ｍである場合（ステップＳ９０：ＹＥＳ）、ステップＳ１１０に進み、ｍ＝Ｍでない場合（ステップＳ９０：ＮＯ）、ステップＳ１００において、制御部１２は、変数ｍを１つインクリメントし、ステップＳ３０に戻る。
【００５４】
ステップＳ１１０では、制御部１２は、変数ｌが最終ラインであることを示すＬであるか否かを判断する。ｌ＝Ｌである場合（ステップＳ１１０：ＹＥＳ）、ステップＳ１３０に進み、ｌ＝Ｌでない場合（ステップＳ１１０：ＮＯ）、ステップＳ１２０において、制御部１２は、変数ｌを１つインクリメントし、ステップＳ２０に戻る。
【００５５】
ステップＳ１３０では、制御部１２は、１ページ内のカラー画素数Ｇが所定の閾値Ｇｔｈよりも大きいか否かを判断する。カラー画素数Ｇが閾値Ｇｔｈよりも大きい場合（ステップＳ１３０：ＹＥＳ）、ステップＳ１４０において、制御部１２は、読み取った原稿はカラー原稿であると判定する。カラー画素数Ｇが閾値Ｇｔｈ以下である場合（ステップＳ１３０：ＮＯ）、ステップＳ１５０において、制御部１２は、読み取った原稿は白黒原稿であると判定する。
【００５６】
制御部１２は、上記の一連の処理により得られた原稿のカラー／白黒判定結果を、スクリーニング処理後の画像データとともに画像形成部２０に出力する。そして、画像形成部２０において、カラー／白黒判定結果に応じた印刷処理が行われる。
【００５７】
なお、読み取った原稿画像の印刷を行わず、原稿の画像データを例えばパーソナルコンピュータ（ＰＣ）等に保存する場合は、色変換処理部１０およびスクリーニング処理部１１の処理は不要である。この場合、制御部１２は、原稿のカラー／白黒判定結果を、ＲＧＢ変換処理部９による処理後のＲ，Ｇ，Ｂの画像データとともにＰＣ等に送信する。
【００５８】
上記説明のように本実施の形態によれば、仕向け先に応じて設定した色相ごとの彩度閾値Ｓ１，Ｓ２を用いてカラー画素の判定を行うことで、使用される地域ごとのユーザのニーズに応じたカラー判定を行うことができる。
【００５９】
なお、上記実施の形態では、パネル言語情報に応じた仕向け先を仕向け先情報として取得したが、仕向け先情報取得部８３は、画像読取装置１が搭載される画像形成装置のメモリに記憶された機種コードから仕向け先情報を取得してもよい。また、機種コードが記憶されたカード（ＩＣタグ）から仕向け先情報を取得してもよい。
【００６０】
また、上記実施の形態では、Ｒ，Ｇ，Ｂの画像データをＹ，Ｃｂ，Ｃｒのデータに変換し、これを用いて各画素の彩度および色相角を算出したが、Ｙ，Ｃｂ，Ｃｒのデータのかわりに、Ｌ＊ａ＊ｂ＊表示系のＬ，ａ＊，ｂ＊のデータに変換し、これを用いて各画素の彩度および色相角を算出するようにしてもよい。
【符号の説明】
【００６１】
１  画像読取装置
２  画像読取部
３  Ａ／Ｄ変換部
４  シェーディング補正部
５  像域分離処理部
６  変倍処理部
７  ＹＣｂＣｒ変換処理部
８  ＡＣＳ処理部
９  ＲＧＢ変換処理部
１０  色変換処理部
１１  スクリーニング処理部
１２  制御部
１３  操作入力部
８１  彩度算出部
８２  色相角算出部
８３  仕向け先情報取得部
８４  閾値設定部
８５  画素判定部
１３１  表示パネル
【図１】
2011082796.tif 000003
【図２】
2011082796.tif 000004
【図３】
2011082796.tif 000005
【図４】
2011082796.tif 000006
【図５】
2011082796.tif 000007
【図６】
2011082796.tif 000008
【図７】
2011082796.tif 000009